(57)【要約】      （修正有）【課題】階段に簡単に着脱できる、工事期間中に一時的に階段を保護し、作業者の足が踏み面上で滑らないようにする鋼製階段用防滑マットを提供する。【解決手段】防滑マットは、平面シート部１０と、手前側縦面シート部２０と、奥側縦面シート部３０とを備えている。手前側縦面シート部２０の下部には、手前側折り返し部２３が形成され、手前側折り返し部２３の上部には、手前側突出部２４が形成されている。奥側縦面シート部３０の下部には、奥側折り返し部３３が形成され、奥側折り返し部３３の上部には、奥側突出部３４が形成されている。【選択図】図５
0003195360.tif 000002
【実用新案登録請求の範囲】
【請求項１】
踏み面と、該踏み面の手前側及び奥側からそれぞれ下方へ延びる手前側縦面部及び奥側縦面部とを有する断面コの字状の鋼製踏み板を有する階段が設けられる建築物の工事期間中に、当該鋼製踏み板に取り付けられて使用される熱可塑性エラストマー製の鋼製階段用防滑マットにおいて、
上記踏み面に敷設される平面シート部と、
上記平面シート部における手前側から上記手前側縦面部に沿って下方へ延びる手前側縦面シート部と、
上記平面シート部における奥側から上記奥側縦面部に沿って下方へ延びる奥側縦面シート部とを備え、
上記手前側縦面シート部の下部には、上記手前側縦面部の下部を覆うように上方へ折り返されて該手前側縦面部の下部に係合する手前側折り返し部が形成され、該手前側折り返し部の上部には、上記鋼製踏み板の奥側へ向けて突出する手前側突出部が形成され、
上記奥側縦面シート部の下部には、上記奥側縦面部の下部を覆うように上方へ折り返されて該奥側縦面部の下部に係合する奥側折り返し部が形成され、該奥側折り返し部の上部には、上記鋼製踏み板の手前側へ向けて突出する奥側突出部が形成されていることを特徴とする鋼製階段用防滑マット。
【請求項２】
請求項１に記載の鋼製階段用防滑マットにおいて、
上記手前側縦面シート部及び上記奥側縦面シート部は、上下方向に伸縮する伸縮部を備えていることを特徴とする鋼製階段用防滑マット。
【請求項３】
請求項１または２に記載の鋼製階段用防滑マットにおいて、
上記平面シート部の上面には、防滑用の凹凸形状が設けられ、該凹凸形状を構成する凹部には、視認性を向上させる色彩とされた色彩部が設けられていることを特徴とする鋼製階段用防滑マット。
【請求項４】
請求項１から３のいずれか１つに記載の鋼製階段用防滑マットにおいて、
上記鋼製階段用防滑マットを構成している熱可塑性エラストマーが、重合度２０００以上４０００以下の塩化ビニル樹脂であることを特徴とする鋼製階段用防滑マット。
【考案の詳細な説明】
【技術分野】
【０００１】
本考案は、例えば建築物の工事期間中等に使用される鋼製階段用防滑マットの技術分野に属し、特に、鋼製階段に簡単に着脱でき、ずれたり、滑ることのないマットに関するものである。
【背景技術】
【０００２】
例えば２階建て建築物の工事期間中には、当該建築物に設けられている階段が１階と２階とを結ぶ作業用通路として使用されることがある。このため、資材等を持った作業者が階段を上り下りしたり、階段の踏み面にゴミ等が付着したりして、階段を損傷させる恐れがある。
【０００３】
そこで、例えば、特許文献１に開示されているように階段の踏み面に保護材を着脱可能に取り付けることが行われる。特許文献１の階段用保護材は、階段の踏み面に両面接着テープによって接着されるシート状物と、そのシート状物に係止する係止部材に対して両面接着テープによって接着される保護材とを有している。そして、保護材と一体化している係止部材を、階段に貼り付けられているシート状物に係止させると、保護材が階段に取り付けられた状態となって踏み面が保護される。
【先行技術文献】
【特許文献】
【０００４】
【特許文献１】特開２００４−２７０３６０６号公報
【考案の概要】
【考案が解決しようとする課題】
【０００５】
ところで、特許文献１の保護材の取付構造では、シート状物を階段の踏み面に両面粘着テープで接着しているので接着面の清掃等が必要になり、取り付け作業が煩雑になる。また、シート状物を踏み面に接着した後、保護材をシート状物に取り付けなければならないので、保護材を取り付けるにあたり、作業工程が多くなる。さらに、保護材は工事期間が終了したら取り外さなければならないが、特許文献１のシート状物まで取り外す場合には、両面接着テープを用いているので取り外しに手間がかかるという問題もある。
【０００６】
また、工事期間中における階段の昇降時の事故を未然に防止するために、階段の踏み面に防滑マットを設けて作業者の足が踏み面上で滑らないようにする必要もある。
【０００７】
本考案は、かかる点に鑑みてなされたものであり、その目的とするところは、工事期間中に一時的に階段を保護し、作業者の足が踏み面上で滑らないようにする階段用防滑マットを階段に簡単に着脱できるようにすることにある。
【課題を解決するための手段】
【０００８】
上記の課題を解決するために本考案は、次に示す構成を有している。
【０００９】
第１の考案は、
踏み面と、該踏み面の手前側及び奥側からそれぞれ下方へ延びる手前側縦面部及び奥側縦面部とを有する断面コの字状の鋼製踏み板を有する階段が設けられる建築物の工事期間中に、当該鋼製踏み板に取り付けられて使用される熱可塑性エラストマー製の鋼製階段用防滑マットにおいて、
上記踏み面に敷設される平面シート部と、
上記平面シート部における手前側から上記手前側縦面部に沿って下方へ延びる手前側縦面シート部と、
上記平面シート部における奥側から上記奥側縦面部に沿って下方へ延びる奥側縦面シート部とを備え、
上記手前側縦面シート部の下部には、上記手前側縦面部の下部を覆うように上方へ折り返されて該手前側縦面部の下部に係合する手前側折り返し部が形成され、該手前側折り返し部の上部には、上記鋼製踏み板の奥側へ向けて突出する手前側突出部が形成され、
上記奥側縦面シート部の下部には、上記奥側縦面部の下部を覆うように上方へ折り返されて該奥側縦面部の下部に係合する奥側折り返し部が形成され、該奥側折り返し部の上部には、上記鋼製踏み板の手前側へ向けて突出する奥側突出部が形成されていることを特徴としている。
【００１０】
この考案によれば、手前側縦面シート部の手前側折り返し部を鋼製踏み板の手前側縦面部の下部に係合させ、奥側縦面シート部の奥側折り返し部を鋼製踏み板の奥側縦面部の下部に係合させることで、防滑マットの手前側と奥側とが鋼製踏み板に固定されるので、従来例のような両面接着テープを用いなくても、位置ずれを起こすことなく、防滑マットを鋼製踏み板に簡単に取り付けることができ、鋼製踏み板を工事期間中に保護することができる。
【００１１】
そして、工事期間が終了して防滑マットを鋼製踏み板から取り外す際には、手前側縦面シート部の手前側突出部をつかんで力を加えることで手前側縦面シート部を変形させて鋼製踏み板の手前側縦面部の下部から離脱させることができる。このとき、手前側突出部が、鋼製踏み板の奥側へ向けて突出しているので、つかみやすく作業は簡単に行える。同様に、奥側縦面シート部の奥側突出部をつかんで奥側縦面シート部を鋼製踏み板の奥側縦面部の下部から簡単に離脱させることができる。
【００１２】
第２の考案は、
上記手前側縦面シート部及び上記奥側縦面シート部は、上下方向に伸縮する伸縮部を備えていることを特徴としている。
【００１３】
第３の考案は、
上記平面シート部の上面には、防滑用の凹凸形状が設けられ、該凹凸形状を構成する凹部には、視認性を向上させる色彩とされた色彩部が設けられていることを特徴としている。
【００１４】
第４の考案は、
上記鋼製階段用防滑マットを構成している熱可塑性エラストマーが、重合度２０００以上４０００以下の塩化ビニル樹脂であることを特徴としている。
【考案の効果】
【００１５】
本考案によれば、手前側縦面シート部の手前側折り返し部及び奥側縦面シート部の奥側折り返し部を、それぞれ鋼製踏み板の手前側縦面部及び奥側縦面部に係合させることで、防滑マットを鋼製踏み板に簡単に取り付けることができ、工事期間中の階段の踏み板を一時的に保護することができるとともに、作業者の足が踏み面上で滑らないようにすることができる。そして、防滑マットを取り外す際には、手前側折り返し部の手前側突出部及び奥側縦面シート部の奥側突出部を容易につまんで引っ張ることができ、簡単に外すことができる。
【図面の簡単な説明】
【００１６】
【図１】鋼製階段用防滑マットが取り付けられた鋼製階段の斜視図である。
【図２】鋼製階段用防滑マットを上方から見た斜視図である。
【図３】鋼製階段用防滑マットが取り外された鋼製階段の斜視図である。
【図４】図２のIV−IV線断面図である。
【図５】図１のV−V線断面図である。
【図６】鋼製階段用防滑マットの手前側の係合要領を説明する断面図である。
【図７】鋼製階段用防滑マットの奥側の係合要領を説明する断面図である。
【図８】変形例１に係る図２相当図である。
【図９】図８の円Ａで囲まれた部分の拡大図である。
【図１０】変形例２に係る図４相当図である。
【図１１】変形例２に係る図５相当図である。
【図１２】変形例３に係る図４相当図である。
【図１３】変形例４に係る図４相当図である。
【考案を実施するため形態】
【００１７】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００１８】
図１は、本考案の実施形態に係る鋼製階段用防滑マット１が取り付けられた鋼製階段１００の斜視図である。この鋼製階段１００は、例えば２階建ての建築物（図示せず）に設けられており、建築物の工事期間中は、１階と２階を結ぶ作業用通路なり、資材を運搬する作業者等が使用する。工事期間が終了すると、当該建築部の階段として使用される。
【００１９】
尚、この実施形態の説明では、鋼製階段１００を昇る際に鋼製階段１００に向かってみたとき、左となる側を左といい、また、右となる側を右といい、また、手前となる側を手前といい、奥となる側を奥というものとする。また、鋼製階段１００は、２階建ての建物に限られるものではなく、３階建て以上の建物にも設けられる。
【００２０】
鋼製階段１００は、鋼製階段用防滑マット１を取り外した状態を記載した図３に示すように、左右両側の階段桁１０１、１０１と、複数の鋼製踏み板１０２と、鋼製踏み板１０２を階段桁１０１に支持する支持板１０３とを備えている。鋼製踏み板１０１は、図５〜図７に示すように、略水平な踏み面１０２ａと、該踏み面１０２ａの手前側及び奥側からそれぞれ下方へ延びる手前側縦面部１０２及び奥側縦面部１０２ｃとを有する断面コの字状に形成されている。手前側縦面部１０２及び奥側縦面部１０２ｃは同じ長さである。
【００２１】
防滑マット１は、上記建築物の工事期間中に鋼製踏み板１０２に取り付けられて使用されるものであり、工事期間が経過すると鋼製踏み板１０２から取り外される。防滑マット１は、例えば熱可塑性エラストマー等で構成されている。熱可塑性エラストマーとしては、例えば重合度２０００以上４０００以下の塩化ビニル樹脂を挙げることができるが、これに限られるものではない。この塩化ビニル樹脂を使用することで、防滑性を十分に高めながら、高強度で、耐摩耗性も高く、十分な耐久性を持った防滑マット１とすることができる。また、防滑マット１の材料としては、軟質塩化ビニル樹脂、オレフィン系エラストマー、スチレン系エラストマー、ウレタン系エラストマー等を挙げることができる。
【００２２】
図２、図４、図５に示すように、防滑マット１は、鋼製踏み板１０２の踏み面１０２ａに敷設される平面シート部１０と、平面シート部１０における手前側から鋼製踏み板１０２の手前側縦面部１０２ｂに沿って下方へ延びる手前側縦面シート部２０と、平面シート部１０における奥側から鋼製踏み板１０２の奥側縦面部１０２ｃに沿って下方へ延びる奥側縦面シート部３０とを備えている。平面シート部１０、手前側縦面シート部２０及び奥側縦面シート部３０によって下方に開放する断面コの字状の防滑マット１となり、この防滑マット１の断面形状は、鋼製踏み板１０２の断面形状と対応した形状となっている。また、平面シート部１０、手前側縦面シート部２０及び奥側縦面シート部３０は、一体成形されている。
【００２３】
平面シート部１０は、鋼製踏み板１０２の踏み面１０２ａに沿って左右方向に延びている。平面シート部１０の下面１１が鋼製踏み板１０２の踏み面１０２ａに当接するようになっている。平面視で、平面シート部１０の手前側の縁部は、鋼製踏み板１０２の踏み面１０２ａの手前側の縁部と重複し、また、平面シート部１０の奥側の縁部は、鋼製踏み板１０２の踏み面１０２ａの奥側の縁部と重複している。
【００２４】
平面シート部１０の上面には、凸部１２及び凹部１３が手前側から奥側に亘って交互に設けられている。これら凸部１２及び凹部１３によって防滑用の凹凸形状が構成される。凸部１２及び凹部１３は、平面シート部１０の左端部から右端部に亘って直線状に延びている。
【００２５】
手前側縦面シート部２０の内側面２１が、鋼製踏み板１０２の手前側縦面部１０２ｂに当接するようになっている。手前側縦面シート部２０の内側面２１には、上下方向中間部に凹部２２が形成されている。凹部２２は、手前側縦面シート部２０の上部から下部に亘って大きく形成されている。この凹部２２の形成によって手前側縦面シート部２０の上下方向中間部は、該手前側縦面シート部２０の上部及び下部に比べて薄肉になる。
【００２６】
手前側縦面シート部２０の下部には、鋼製踏み板１０２の手前側縦面部１０２ｂの下部を覆うように上方へ折り返される手前側折り返し部２３が形成されている。手前側折り返し部２３は、手前側縦面シート部２０の左端部から右端部に亘って連続しており、側面視で上方に開放するＵ字に近い断面形状となっている。この手前側折り返し部２３が手前側縦面部１０２ｂの下部に対してその下方から係合するようになっている。手前側折り返し部２３が手前側縦面部１０２ｂに係合した状態では、手前側縦面部１０２ｂの下部における手前側の面、及び奥側の面が手前側折り返し部２３によって覆われた状態になり、これにより、手前側縦面シート部２０が鋼製踏み板１０２の手前側縦面部１０２ｂから離れなくなる。
【００２７】
手前側折り返し部２３の上部には、鋼製踏み板１０２の奥側へ向けて突出する手前側突出部２４が形成されている。手前側突出部２４は、手前側縦面シート部２０の左端部から右端部に亘って連続している。手前側突出部２４は、上方へ行くにしたがって手前側縦面シート部２０から離れるように、即ち奥側に位置するように傾斜した傾斜板部で構成されている。
【００２８】
また、奥側縦面シート部３０の内側面３１は、鋼製踏み板１０２の奥側縦面部１０２ｃに当接するようになっている。奥側縦面シート部３０の内側面３１には、上下方向中間部に凹部３２が形成されている。凹部３２は、奥側縦面シート部３０の上部から下部に亘って大きく形成されている。この凹部３２の形成によって奥側縦面シート部３０の上下方向中間部が手前側縦面シート部２０と同様に薄肉になる。
【００２９】
奥側縦面シート部３０の下部には、鋼製踏み板１０２の奥側縦面部１０２ｃの下部を覆うように上方へ折り返される奥側折り返し部３３が形成されている。奥側折り返し部３３は、奥側縦面シート部３０の左端部から右端部に亘って連続しており、側面視で上方に開放するＵ字に近い断面形状となっている。この奥側折り返し部３３が奥側縦面部１０２ｃの下部に対してその下方から係合するようになっている。奥側折り返し部３３が奥側縦面部１０２ｃに係合した状態では、奥側縦面部１０２ｃの下部における奥側の面、及び手前側の面が奥側折り返し部３３によって覆われた状態になり、これにより、奥側縦面シート部２０が鋼製踏み板１０２の奥側縦面部１０２ｃから離れなくなる。
【００３０】
奥側折り返し部３３の上部には、鋼製踏み板１０２の手前側へ向けて突出する奥側突出部３４が形成されている。奥側突出部３４は、奥側縦面シート部３０の左端部から右端部に亘って連続している。奥側突出部３４は、上方へ行くにしたがって奥側縦面シート部３０から離れるように、即ち手前側に位置するように傾斜した傾斜板部で構成されている。
【００３１】
この実施形態では、鋼製踏み板１０２の手前側縦面部１０２及び奥側縦面部１０２ｃは同じ長さであるため、防滑マット１の手前側縦面シート部２０及び奥側縦面シート部３０の形状は同じであり、また、手前側折り返し部２３及び奥側折り返し部３３の形状も同じであり、さらに、手前側突出部２４及び奥側突出部３４の形状も同じである。つまり、防滑マット１の手前側と奥側を反対にしても鋼製踏み板１０２に取り付けることができる。
【００３２】
次に、上記のように構成された防滑マット１を鋼製踏み板１０２に取り付ける場合について説明する。防滑マット１は、上述した重合度２０００以上４０００以下の塩化ビニル樹脂からなるものなので、作業者が手で簡単に変形させることができる程度の柔軟性を有している。まず、図６に示すように、防滑マット１の手前側折り返し部２３を、鋼製踏み板１０２の手前側縦面部１０２ｂの下部に係合させる。このとき、矢印Ｂで示すように、防滑マット１全体を傾けながら、鋼製踏み板１０２の手前側縦面部１０２ｂの下部を、防滑マット１の手前側折り返し部２３の上方に配置した後、手前側縦面部１０２ｂの下部を手前側折り返し部２３に押し込んで行く。手前側突出部２４が傾斜しているので、鋼製踏み板１０２の手前側縦面部１０２ｂの下部が手前側突出部２４に沿って手前側折り返し部２３に導かれるようになる。つまり、手前側突出部２４が、鋼製踏み板１０２の手前側縦面部１０２ｂを案内する案内部となるので、作業性が良好になる。
【００３３】
手前側縦面部１０２ｂの下部を手前側折り返し部２３に押し込むことで手前側折り返し部２３を手前側縦面部１０２ｂの下部に係合させる。係合させた後、図７に示すように、防滑マット１の手前側縦面シート部２０を、鋼製踏み板１０２の手前側縦面部１０２ｂに当接させるとともに、平面シート部１０の下面１１を鋼製踏み板１０２の踏み面１０２ａに当接させる。
【００３４】
そして、例えば奥側突出部３４を持って図７の矢印Ｃで示す方向に引っ張って奥側折り返し部３３を開くとともに、矢印Ｄの方向に引っ張り、奥側折り返し部３３の内方に鋼製踏み板１０２の奥側縦面部１０２ｃの下部を入れる。奥側折り返し部３３の内方に鋼製踏み板１０２の奥側縦面部１０２ｃの下部が入ると、奥側折り返し部３３の形状を復元させて奥側折り返し部３３を鋼製踏み板１０２の奥側縦面部１０２ｃに係合させる。
【００３５】
尚、防滑マット１を鋼製踏み板１０２に取り付ける場合には、先に、奥側折り返し部３３を鋼製踏み板１０２の奥側縦面部１０２ｃに係合させ、その後、手前側折り返し部２３を手前側縦面部１０２ｂの下部に係合させてもよい。
【００３６】
したがって、この実施形態では、両面接着テープ等を使用することなく、防滑マット１の手前側折り返し部２３を鋼製踏み板１０２の手前側縦面部１０２ｂの下部に係合させ、かつ、防滑マット１の奥側折り返し部３３を鋼製踏み板１０２の奥側縦面部１０２ｃの下部に係合させるだけで防滑マット１を鋼製踏み板１０２に取り付けることができるので、簡単な作業で済む。しかも、防滑マット１の手前側と奥側の両方が鋼製踏み板１０２に係合しているので、防滑マット１が鋼製踏み板１０２に対して位置ずれしにくく、高い安全性を確保できる。
【００３７】
防滑マット１を鋼製踏み板１０２に取り付けた状態では、鋼製踏み板１０２の踏み面１０２ａ、手前側縦面部１０２及び奥側縦面部１０２ｃが防滑マット１で覆われるので鋼製踏み板１０２を確実に保護できる。
【００３８】
また、工事期間が終了して防滑マット１を鋼製踏み板１０２から取り外す場合には、鋼製踏み板１０２の下方から鋼製踏み板１０の内方へ手を差し込んで、奥側突出部３４を持って下方へ引っ張りながら、鋼製踏み板１０２の奥側縦面部１０２ｃを奥側折り返し部３３から抜いて離脱させる。同様に、手前側突出部２４を持って下方へ引っ張りながら、鋼製踏み板１０２の手前側縦面部１０２ｂを手前側折り返し部２３から抜いて離脱させる。離脱させる順番は、どちらが先でもよい。
【００３９】
このとき、奥側突出部３４が手前側に突出しているので、奥側突出部３４をつかみやすく作業性が良好である。同様に、手前側突出部２４が奥側に突出しているので作業性が良好である。尚、鋼製踏み板１０２から取り外した防滑マット１は他の現場で再利用することができる。
【００４０】
以上説明したように、この実施形態に係る防滑マット１によれば、手前側縦面シート部２０の手前側折り返し部２３及び奥側縦面シート部３０の奥側折り返し部３３を、それぞれ鋼製踏み板１０２の手前側縦面部１０２ｂ及び奥側縦面部１０２ｃに係合させることで、防滑マット１を鋼製踏み板１０２に簡単に取り付けることができ、工事期間中の踏み板１０２を一時的に保護することができるとともに、作業者の足が滑らないようにすることができる。そして、防滑マット１を取り外す際には、手前側折り返し部２３の手前側突出部２４及び奥側縦面シート部３３の奥側突出部３４を容易につまんで引っ張ることで簡単に取り外すことができる。
【００４１】
また、図８に示す変形例１のように、防滑マット１の手前側に位置する凹部１３には、視認性を向上させる色彩とされた第１色彩部１４と第２色彩部１５を設けてもよい。第１色彩部１４及び第２色彩部１５は、平面シート部１０の左端部から右端部に亘って連続して延びており、他の部分と異なる色彩であって、かつ、視認性を高めることができる色彩となっている。この第１色彩部１４及び第２色彩部１５は、例えば２色成形法を使用することで、防滑マット１の他の部分と一体成形することができる。第１色彩部１４及び第２色彩部１５は、例えば蓄光塗料や蛍光塗料を含有した樹脂や、防滑マット１の他の部分と比べて輝度差２以上の色に着色された樹脂等で構成することができる。色彩部１４、１５は１箇所だけであってもよい。この変形例１では、防滑マット１の手前側の視認性が向上するので安全性をより一層高めることができる。
【００４２】
また、図１０に示す変形例２のように、防滑マット１の手前側縦面シート部２０に、上下方向に伸縮する伸縮部２５を設けてもよい。伸縮部２５は、波型の断面形状を有している。また、防滑マット１の奥側縦面シート部３０に、上下方向に伸縮する同様な伸縮部３５を設けてもよい。この場合、外力を作用させない状態で、手前側縦面シート部２０の伸縮部２５は縮んでおり、手前側縦面シート部２０の上下寸法は、鋼製踏み板１０２の手前側縦面部１０２ｂの上下寸法よりも短くなっている。同様に、奥側縦面シート部３０も鋼製踏み板１０２の奥側縦面部１０２ｃの上下寸法よりも短くなっている。そして、図１１に示すように防滑マット１を鋼製踏み板１０２に取り付けた状態では、伸縮部２５、３５が伸びる。取付状態では、手前側折り返し部２３が伸縮部２５の弾性によって上方へ付勢されるので、手前側折り返し部２３を鋼製踏み板１０２の手前側縦面部１０２ｂの下部にしっかりと係合させることができる。奥側折り返し部３３も同様に係合させることができる。さらに、変形例２では、防滑マット１の手前側縦面シート部２０及び奥側縦面シート部３０の上下寸法を変化させることができるので、鋼製踏み板１０２の手前側縦面部１０２ｂ及び奥側縦面部１０２ｃの上下寸法が異なる別の鋼製踏み板（図示せず）に防滑マット１を取り付けることもできる。
【００４３】
また、図１２に示す変形例３のように、手前側突出部２４及び奥側突出部３４は矩形断面を有する形状であってもよい。
【００４４】
また、図１３に示す変形例４のように、手前側突出部２４及び奥側突出部３４は円形断面を有する形状であってもよい。
【産業上の利用可能性】
【００４５】
以上説明したように、本考案に係る鋼製階段用防滑マットは、例えば建築物の工事期間中等に鋼製階段に取り付けて使用することができる。
【符号の説明】
【００４６】
１            鋼製階段用防滑マット
１０          平面シート部
１４          第１色彩部
１５          第２色彩部
２０          手前側縦面シート部
２３          手前側折り返し部
２４          手前側突出部
２５          伸縮部
３０          奥側縦面シート部
３３          奥側折り返し部
３４          奥側突出部
３５          伸縮部
【図１】
0003195360.tif 000003
【図２】
0003195360.tif 000004
【図３】
0003195360.tif 000005
【図４】
0003195360.tif 000006
【図５】
0003195360.tif 000007
【図６】
0003195360.tif 000008
【図７】
0003195360.tif 000009
【図８】
0003195360.tif 000010
【図９】
0003195360.tif 000011
【図１０】
0003195360.tif 000012
【図１１】
0003195360.tif 000013
【図１２】
0003195360.tif 000014
【図１３】
0003195360.tif 000015